(57)【特許請求の範囲】
【請求項１】
箱体に、この箱体の一部を構成する切取部を切り離し可能とする切込み線を形成すると共に、前記切取部を切り離すことで形成された開口部を閉蓋可能な蓋部を設けた包装用箱であって、
前記箱体の前記切取部を切り離した際の残存部分の一面に折曲線を形成し、この折曲線を中心にして折れ曲がる折曲部を前記蓋部、および前記開口部に差込み可能な開口差込部として構成し、
前記箱体に、前記切込み線から前記切取部とは反対側に向かって突出する切込み部を形成し、
前記切込み部は、前記切込み線の長手方向両端側に２箇所形成され、かつそれぞれ前記切込み線から長方形状に突出するように形成され、
前記切込み部の前記切り込み線との接続部に、前記切込み部と前記切込み線とを滑らかに接続する円弧部を形成し、
前記切込み部に沿って前記切取部を切り離すことにより、前記開口差込部の少なくとも一部を露出可能とする引出口が形成され、
前記切取部の内面に、印刷表示領域を設けたことを特徴とする包装用箱。
【発明の詳細な説明】
【技術分野】
【０００１】
この発明は、包装用箱に関するものである。
【背景技術】
【０００２】
従来から、チョコレートやクッキーなどの個包装（個別パック）された菓子を複数個封入するための包装用箱が知られている。この種の菓子の購入者は、包装用箱に封入されている菓子を一度に全て食べることが少ない。
ここで、包装用箱内に個包装の菓子が取り残されている場合、包装用箱の容積が菓子の残量と比較して無駄に大きく嵩張ってしまう。このため、包装用箱を破棄してしまい、個包装のままで、保管、または持ち運びすることが考えられる。このような場合には、包装用箱が無い分、個包装のまま、例えば、鞄やバッグに入れると、鞄やバッグの中で押されたり、他の物と当たったりして菓子が割れたり崩れたりするなど、菓子の保存状態が悪化するおそれがある。
【０００３】
このため、包装用箱に収納された内容物の残量に応じて、包装用箱の一部を切除、屈曲、または分離して包装用箱の残存部分で蓋を形成し、包装用箱の容積を縮小する技術が開示されている（例えば、特許文献１参照）。
また、箱体を予め複数の部分箱体に分割可能に構成して各々部分箱体に内容物を個別に収納し、必要な分だけ部分箱体を切り取るようにした技術が開示されている（例えば、特許文献２参照）。
【特許文献１】特開２００５−１６２２３４号公報
【特許文献２】特開２００５−３５０１０３号公報
【発明の開示】
【発明が解決しようとする課題】
【０００４】
しかしながら、上述の特許文献１にあっては、切除された包装用箱の一部がただ単に塵となってしまい、切除された部分が有効に活用されていないという課題がある。
また、特許文献２にあっては、部分箱体を１つの箱として機能するように構成しなければならす、箱体全体として構造が複雑になり、製造コストが増大してしまうという課題がある。
【０００５】
そこで、この発明は、上述した事情に鑑みてなされたものであって、包装用箱の各部を有効利用しつつ、菓子などの内容物の残量に応じて容積を縮小することができ、かつ製造コストを低減できる包装用箱を提供するものである。
【課題を解決するための手段】
【０００９】
請求項１に記載した発明は、箱体に、この箱体の一部を構成する切取部を切り離し可能とする切込み線を形成すると共に、前記切取部を切り離すことで形成された開口部を閉蓋可能な蓋部を設けた包装用箱であって、前記箱体の前記切取部を切り離した際の残存部分の一面に折曲線を形成し、この折曲線を中心にして折れ曲がる折曲部を前記蓋部、および前記開口部に差込み可能な開口差込部として構成し、前記箱体に、前記切込み線から前記切取部とは反対側に向かって突出する切込み部を形成し、前記切込み部は、前記切込み線の長手方向両端側に２箇所形成され、かつそれぞれ前記切込み線から長方形状に突出するように形成され、前記切込み部の前記切り込み線との接続部に、前記切込み部と前記切込み線とを滑らかに接続する円弧部を形成し、前記切込み部に沿って前記切取部を切り離すことにより、前記開口差込部の少なくとも一部を露出可能とする引出口が形成され、前記切取部の内面に、印刷表示領域を設けたことを特徴とする。
【発明の効果】
【００１５】
請求項１に記載した発明によれば、箱体の容積を縮小することができると共に、切取部を切り離すことで形成された開口部を箱体の残存部分に設けられた蓋部で閉蓋することができる。
このため、箱体の構造を複雑化することなく、箱体の容積を縮小することが可能になる。また、切取部を販売促進手段として再利用することが可能になる。
さらに、箱体の残存部分に蓋部に加えて開口部に差込み可能な開口差込部を設けるので、容易に蓋部の閉状態を保持することができる。このため、取り残した菓子を十分に保護することができる。
そして、箱体に開口差込部の少なくとも一部を露出可能とする引出口を形成することによって、購入者が引出口を利用して開口差込部を開口部から容易に引抜くことができる。このため、箱体の再開封を容易に行うことが可能になる。
また、容易に引出口を形成することが可能になる。このため、包装用箱の製造コストの増大を抑制することができる。
【発明を実施するための最良の形態】
【００１７】
次に、この発明の第一参考例を図面に基づいて説明する。
図１は包装用箱１の斜視図、図２は包装用箱１を裏面側から見た斜視図であって、切込み線の一部を切り離した状態を示し、図３は包装用箱１の展開図である。
図１〜図３に示すように、包装用箱１は、例えば、紙材で形成されたものであって、厚さ方向で互いに対向する平面視長方形状の表面板２、および裏面板３と、これらの長手方向両端に配置された一対の短側面板４ａ，４ｂと、表面板２、および裏面板３の短手方向両端に配置された一対の長側面板５ａ，５ｂとを有している。
【００１８】
表面板２には、短手方向略中央に折曲線６が形成されている。また、表面板２上の折曲線６から長側面板５ｂ寄りにも折曲線７が形成されている。
裏面板３には、短手方向略中央に切込み線８が形成されている。この切込み線８の長手方向中央部は長側面板５ａに向かって曲折し、長方形状に突出した形の長方切込み部９を形成している。また、裏面板３には、長方切込み部９の長手方向両端９ａ，９ａから長側面板５ａに向かって延出する一対の切断線１０，１０が形成されている。
【００１９】
短側面板４ａ，４ｂは、表面板２の長手方向両端に折曲線１１，１２を介して連設されている短側妻板１３，１４と、裏面板３の長手方向両端に折曲線１５，１６を介して連接されている短側妻板１７，１８とで構成されている。すなわち、短側面板４ａは、表面板２に連設された短側妻板１３と、裏面板３に連設された短側妻板１７とが重なり合って成る。また、短側面板４ｂは、表面板２に連設された短側妻板１４と、裏面板３に連設された短側妻板１８とが重なり合って成る。
【００２０】
ここで、表面板２と短側妻板１３，１４との間に形成されている折曲線１１，１２は、表面板２の短手方向略中央に形成された折曲線６を境界線として長側面板５ｂ側が切込み線１１ａ，１２ａとして構成されている。また、各短側妻板１３〜１８の短手方向略中央には、それぞれ折曲線６、切込み線８から延出するように切込み線１３ａ，１４ａ，１７ａ，１８ａが形成されている。したがって、裏面板３は、切込み線８よりも長側面板５ｂ側が切り離し可能な状態になっている。
【００２１】
長側面板５ａ，５ｂのうち、一方の長側面板５ａは、包装用箱１を展開した状態（図２参照）で表面板２と裏面板３との間に配置されている。そして、表面板２とは折曲線１９を介して連設した状態となり、裏面板３とは折曲線２０を介して連設した状態になっている。長側面板５ａの長手方向両端には、それぞれ折曲線２１，２２を介して舌片２３，２４が設けられている。
【００２２】
これに対し、他方の長側面板５ｂは、表面板２の長側面板５ａとは反対側端に切込み線２５を介して連設されている長側妻板２７と、裏面板３の長側面板５ａとは反対側端に折曲線２６を介して連接されている長側妻板２８とが重なり合って成る。表面板２の長側妻板２７には、長手方向両端に折曲線２９，３０を介して舌片３１，３２が連設されている。ここで、表面板２と長側妻板２７との間に形成された切込み線２５は、表面板２に形成されている他の切込み線１１ａ，１２ａ，１３ａ，１４ａと共に一連に形成されている。したがって、切込み線１１ａ，１２ａ，１３ａ，１４ａによって長側面板５ｂ側に区画された箱片３３は、切り離し可能な状態になっている。
【００２３】
このような構成のもと、包装用箱１は、組立てた状態で、この内部に予め包装用紙Ｈに個包装された菓子Ｃが収納可能になっている。
また、図４、図５に示すように、包装用箱１は、組立てた状態で、各切込み線８〜２５よりも長側面板５ｂ側を切り離すことができるようになっている。すなわち、この切り離された部位は包装用箱１の一部を構成していると共に、包装用箱１から切り離し可能な切取部３４として構成されることになる。
【００２４】
切取部３４の内面は、印刷表示領域Ｒとして設定されている。より具体的には、裏面板３のうち、切込み線８から長側面板５ａ側の切取部３４として構成されている部位に印刷表示領域Ｒが設けられている。
印刷表示領域Ｒには、さまざまな情報が印刷可能である。その一例を図６〜図８に示す。
図６〜図８に示すように、印刷表示領域Ｒに印刷する情報としては、例えば、キャンペーンに応募するためのマークや懸賞などに応募するための文字、数字、ＱＲコード（登録商標）などの２次元バーコードやシリアル情報等（図６参照）、また、販売促進に向けた当たりくじや、くじの等級（図７、図８参照）が挙げられる。この他に、真贋判定、流通経路を把握可能な情報等を印刷してもよい。
【００２５】
印刷方法としては、オフセット印刷やグラビア印刷、或いはインクジェット記録方式による印刷等、種々の印刷方法での印刷が可能である。
なお、被印刷体である包装用箱１は紙材で形成されるが、この紙材としては、例えば、坪量２００〜４５０ｇ／ｍ２のカード系、コートボール系等の板紙を使用することができる。坪量が２００ｇ／ｍ２未満であると包装用箱１としての剛性が低くなる一方、４５０ｇ／ｍ２を越えると、剛性は高くなるが、材料コストも高くなるので好ましくない。
【００２６】
図５、図９に示すように、切取部３４が切り離された包装用箱１には、開口部Ｋが形成される。この開口部Ｋは、表面板２の残存部分で閉蓋することができるようになっている。すなわち、表面板２の残存部分のうち、折曲線６よりも外側が切取部３４を切り離し後の蓋部３５として機能している。
蓋部３５は、折曲線６と折曲線７とで区画され開口部Ｋを閉蓋する閉塞部３５ａと、折曲線７よりも外側に位置する差込部３５ｂとで構成される。
【００２７】
ここで、裏面板３に形成されている切断線１０，１０は、切取部３４が切り離された後の差込部３５ｂの先端を差し込むことができるようになっている。裏面板３の切断線１０，１０と切込み線８の長方切込み部９とによって区画される部位は舌片部３６として構成される。つまり、舌片部３６は切込み線８（長方切込み部９）に面した位置に設けられていることになる。舌片部３６は、切断線１０，１０と切込み線８の長方切込み部９とによって区画されているので、略長方形状に形成されている。
【００２８】
また、切断線１０，１０と舌片部３６とで表面板２の蓋部３５の閉蓋状態を保持するための係止部３７を構成している。すなわち、切断線１０，１０に蓋部３５の差込部３５ｂの先端が差し込まれることによって、差込部３５ｂは舌片部３６と舌片部３６の両側に存在する裏面板３の残存部分とで厚さ方向に挟持され、かつ舌片部３６から弾性力を受けた状態になる。これによって、蓋部３５の閉蓋状態が保持される。
【００２９】
また、切込み線８の長手方向中央部に形成された長方切込み部９の付け根には、円弧部３８が形成されていると共に、舌片部３６の角部にも円弧部３９が形成されている。すなわち、切取部３４を切り離した後、裏面板３の蓋部３５側受け入れ側に形成される角部は、円弧状に形成されていることになる。このため、係止部３７に蓋部３５をスムーズに差し込むことができるようになっている。
【００３０】
切取部３４を切り離した後、これによって形成された包装用箱１の開口部Ｋを蓋部３５で閉蓋して差込部３５ｂを係止部３７に固定すると、包装用箱１の容積は最初の状態（包装用箱１を開封する前の状態）の約半分の容積となる（図９参照）。これは、切込み線８が裏面板３の短手方向略中央に形成されているためである。つまり、切込み線８の形成位置を短手方向にずらせば、切取部３４を切り離した後の包装用箱１の容積を変更することが可能になる。
【００３１】
より具体的には、切込み線８を短手方向中央よりも長側面板５ｂ寄りに形成すれば、切取部３４を切り離した後の包装用箱１の容積は最初の状態の半分よりも大きい容積に設定することができる。一方、切込み線８を短手方向中央よりも長側面板５ａ寄りに形成すれば、切取部３４を切り離した後の包装用箱１の容積は最初の状態の半分よりも小さい容積に設定することができる。なお、表面板２に形成されている切込み線１１ａ，１２ａ，２５の形成位置は、裏面板３の切込み線８の形成位置に応じて変更すればよい。
【００３２】
本参考例にあっては、切取部３４を切り離した後の包装用箱１の容積は、最初の状態の約半分に設定されるので、包装用箱１に、例えば、包装用紙Ｈに個包装された菓子Ｃが２つ収納されている場合には、このうちの１つを取り出した後、残りの１つの菓子Ｃを容積を半分に縮小した包装用箱１に収納し、これを持ち運ぶことができるようになっている。
【００３３】
次に、図１〜図５、図９に基づいて、包装用箱１の開封手順について説明する。なお、ここでは、包装用箱１に予め包装用紙Ｈに個包装された菓子Ｃが２つ収納されているものとする。
まず、裏面板３の長手方向両端に連設されている短側妻板１７、または短側妻板１８の何れかを摘み、切込み線１７ａ，１８ａ，８に沿って裏面板３を分割する。そして、包装用箱１を開封する。このとき、裏面板３と表面板２は、長側面板５ｂを介して連設した状態になっている（図１〜図４参照）。
裏面板３を分割すると、包装用箱１の開口した部位から包装用紙Ｈに個包装された２つの菓子Ｃのうち、１つが露出した状態になる。このため、購入者はスムーズに菓子Ｃを取り出すことができる。
【００３４】
続いて、１つの菓子Ｃを取り出した後、表面板２の切込み線１１ａ，１２ａ，２５に沿って表面板２を分割する。これによって、包装用箱１のうち、切取部３４として構成される部位が切り離され、包装用箱１の開封作業が完了する（図５参照）。
ここで、切取部３４を構成する裏面板３の内面には、印刷表示領域Ｒが設けられ、ここに種々の情報が印刷されている。このため、切取部３４は、そのまま販売促進用などの広告用紙として機能することになる。また、包装用箱１の残存部分は、箱としての機能を保ったままで残されるので、切取部３４の一部に、例えば、懸賞応募用のマークなどが印刷されており、これを切り取るようなことをしても、なんら包装用箱１が破損することがない。
【００３５】
切取部３４を切り離した後は、これによって形成された開口部Ｋ（図５参照）を蓋部３５で閉蓋する。より具体的には、残存する表面板２を折曲線６を中心にして折り曲げる。さらに、この折り曲げた部位のうち、折曲線７よりも外側の部位、つまり、差込部３５ｂを折曲線７を中心にして折り曲げる。このとき、蓋部３５の差込部３５ｂを裏面板３の上側に渡らせて裏面板３に形成されている係止部３７に固定する。これによって、包装用箱１の容積を最初の半分に設定しつつ、取り残した菓子Ｃを確実に包装用箱１に保管することができる。
【００３６】
さらに、残りの菓子を取り出す場合には、蓋部３５の差込部３５ｂを係止部３７から引抜く。このようにすることで、再び包装用箱１を開封させることができる。蓋部３５は、係止部３７を構成する切断線１０，１０に差し込まれているだけなので、蓋部３５の引抜き作業を容易に行うことができる。
【００３７】
したがって、上述の第一参考例によれば、包装用箱１の一部である切取部３４を切り離すことで菓子Ｃの残量に応じて包装用箱１の容積を縮小することができる。また、切取部３４を切り離すことで形成された開口部Ｋを包装用箱１の残存部分に設けられた蓋部３５で閉蓋することができる。このため、包装用箱１の構造を複雑化することなく、包装用箱１の容積を縮小することが可能になる。
【００３８】
しかも、包装用箱１に蓋部３５の閉状態を保持可能な係止部３７が設けられているので、取り残した菓子Ｃが包装用箱１から内から飛び出してしまうのを防止できる。このため、取り残した菓子Ｃを十分に保護することができると共に、縮小した包装用箱１の開閉作業も容易に行うことができるようになっている。
【００３９】
さらに、切取部３４の裏面板３の内面に印刷表示領域Ｒが設けられているので、例えば、この印刷表示領域Ｒに広告を掲載することで、切取部３４を販売促進手段として再利用することが可能になる。
そして、裏面板３に切断線１０，１０を形成するだけで、係止部３７を設けることができる。このため、蓋部３５の閉蓋状態を保持するために別途裏面板３に係止部を設ける必要がない。よって、包装用箱１の構造を簡略化できると共に、製造コストを低減することが可能になる。
【００４０】
次に、この発明の第二参考例を図１０、図１１に基づいて説明する。なお、第一参考例と同一態様には、同一符号を付して説明する（以下の参考例および実施形態でも同様）。
この第二参考例において、包装用箱４１は、厚さ方向で互いに対向する平面視長方形状の表面板２、および裏面板３と、これらの長手方向両端に配置された一対の短側面板４ａ，４ｂと、表面板２、および裏面板３の短手方向両端に配置された一対の長側面板５ａ，５ｂとを有している点、表面板２には、短手方向略中央に折曲線６が形成されていると共に、折曲線６から長側面板５ｂ寄りにも折曲線７が形成されている点、裏面板３には、短手方向略中央に切込み線８が形成されている点等の基本的構成は、前記第一参考例と同様である（以下の参考例および実施形態でも同様）。
【００４１】
ここで、この第二参考例の裏面板３には、切込み線８の長手方向中央部に、この切込み線８を挟んで短手方向両側に延びる一対の切断線４２，４２が形成されている。
裏面板３において、一対の切断線４２，４２の間に存在する部位は、包装用箱４２を開封する際の最初の作業ポイントとなる開封ポイントＰとして機能している。すなわち、開封ポイントＰは、一対の切断線４２，４２によって容易に内側に押し込むことができる。
このため、開封ポイントＰに存在する切込み線８が押し込まれることによって容易に切断され、この両側に存在する裏面板３が分割される。
【００４２】
裏面板３の開封ポイントＰに対応する部位のうちの長側面板５ｂ側の部位は、これが押し込まれることによって形成される凹部４３が指係止部として機能する。すなわち、開封者（購入者）は、凹部４３に指を差し込んだ状態でこの凹部４３を引き離し方向に引っ張ることで裏面板３を切込み線８，１７ａ，１８ａに沿って容易に分割させることができるようになっている。
【００４３】
一方、裏面板３の開封ポイントＰに対応する部位のうちの長側面板５ａ側の部位は、切取部３４が切り離された際、蓋部３５の差込部３５ｂを受け入れる舌片部４４としての機能を有する。すなわち、一対の切断線４２，４２のうち、切込み線８を境界線として長側面板５ａ側に位置する切断線４２，４２と、これら切断線４２，４２および切込み線８によって区画されている舌片部４４は、表面板２の蓋部３５の閉蓋状態を保持するための係止部４５を構成している。
【００４４】
したがって、開封ポイントＰは、包装用箱４１を開封するための最初の作業ポイントとしての機能と、包装用箱４１から切取部３４を切り離した後の蓋部３５の閉状態を保持する機能と、２つの機能を有していることなる。
舌片部４４の受け入れ側角部には、それぞれ円弧部４６，４６が形成されている。また、裏面板３の舌片部４４近傍の角部にも円弧部４７，４７が形成されている。このため、係止部４５に蓋部３５をスムーズに差し込むことができるようになっている。
【００４５】
したがって、上述の第二参考例によれば、前述した第一参考例と同様の効果に加え、包装用箱１の裏面板３の開封ポイントＰを内側に押し込むだけで、この開封ポイントＰに対応する部位の裏面板３を分割することができる。しかも、開封ポイントＰは、一対の切断線４２，４２の間に存在するので、開封ポイントＰを容易に内側に押し込むことができる。そして、これによって分割された開封ポイントＰのうち、凹部４３が形成された裏面板３を引き離し方向に引っ張るだけで裏面板３を分割させることができる。このため、包装用箱１を容易に開封することが可能になると共に、切取部３４の切り離し作業も容易に行うことが可能になる。
【００４６】
次に、この発明の第三参考例を図１２、図１３に基づいて説明する。
ここで、この第三参考例の包装用箱５１と第二実施形態の包装用箱４１との相違点は、係止部４５の形成位置が異なる点にある。
すなわち、第三参考例の包装用箱５１にあっては、係止部４５が長手方向中央よりも側面側（短側面板４ｂ側）寄りに形成されている。このように構成することで、包装用箱５１を両手で把持した際、丁度親指の位置に対応する部位に開封ポイントＰが位置する状態になる（図１３参照）。
【００４７】
したがって、上述の第三参考例によれば、前述した第二参考例と同様の効果に加え、包装用箱５１の開封ポイントＰが手になじみ易い箇所に位置しているので、さらに容易に包装用箱５１を開封し易くすることができる。
【００４８】
次に、この発明の第四参考例を図１４に基づいて説明する。
ここで、この第四参考例の包装用箱６１と前述の第一参考例の包装用箱１との相違点は、第一参考例の包装用箱１においては、裏面板３に係止部３７が長手方向中央部に１箇所形成されているのに対し、第四参考例の包装用箱６１においては、裏面板３に係止部３７が長手方向両端側に２箇所形成されている点にある。
【００４９】
したがって、上述の第四参考例によれば、前述した第一参考例と同様の効果を奏することができる。これに加え、例えば、開封者（購入者）の利き腕（右利き、または左利き）の違いにより、押し開ける指が異なる場合であっても、２箇所に形成された係止部３７のうち、一方の係止部３７が手になじみ易い箇所に位置することになるので、利き腕の違いによる開封作業のし易さ（使い易さ）に差がでるのを防止できる。このため、開封者の取り扱い性をさらに向上させることができる。
【００５０】
次に、この発明の第五参考例を図１５〜図１７に基づいて説明する。
ここで、図１５、図１６に示すように、この第五参考例の包装用箱７１においては、裏面板３の短手方向略中央に形成された切込み線８の長手方向中央部が長側面板５ａに向かって曲折し、長方形状に突出した形の長方切込み部９を形成している点が前述した第一参考例と同様である。しかしながら、長方切込み部９の長手方向両端９ａ，９ａから長側面板５ａに向かって延出する一対の切断線１０，１０（図３参照）が形成されていない。
【００５１】
すなわち、包装用箱７１から切取部３４を切り離した後、長方切込み部９によって形成された裏面板３の切り欠き部分を引出口７３として構成している。
より具体的に説明する。包装用箱７１から切取部３４を切り離すと、表面板２の残存部分で形成される蓋部３５は、折曲線６と折曲線７とで区画され開口部Ｋを閉蓋する閉塞部３５ａと、折曲線７よりも外側に位置する差込部３５ｂとで構成される。
ここで、この第五参考例にあっては、差込部３５ｂは、裏面板３の上側に渡らせることなく、開口部Ｋに向かって差込むために用いられる。すなわち、蓋部３５の差込部３５ｂは開口部Ｋに差込まれる開口差込部７４として構成される。
【００５２】
そして、裏面板３の引出口７３は、開口部Ｋを閉蓋した蓋部３５を再び開封する際に用いられる。すなわち、開口部Ｋを蓋部３５で閉蓋した状態にあっては、引出口７３から蓋部３５の開口差込部７４の一部が露出した状態になる。このため、開封者（購入者）は、引出口７３から露出する開口差込部７４に指を当接させた状態で開口差込部７４を引き離し方向に引っ張ることで容易に包装用箱７１の再開封を行うことができるようになっている。
【００５３】
なお、長方切込み部９は、包装用箱７１の最初の開封ポイントとしても機能する。つまり、長方切込み部９を指で押圧することによって、長方切込み部９を包装用箱７１の内側に押し込むことができる。このため、長方切込み部９が押し込まれることによって形成された開口部（不図示）を利用して裏面板３を引き離し方向に引っ張れば裏面板３を容易に分割させることができる。
【００５４】
したがって、上述の第五参考例によれば、包装用箱７１の一部である切取部３４を切り離すことで菓子Ｃの残量に応じて包装用箱７１の容積を縮小することができる。また、切取部３４を切り離すことで形成された開口部Ｋを包装用箱７１の残存部分に設けられた蓋部３５で閉蓋することができる。このため、包装用箱７１の構造を複雑化することなく、包装用箱７１の容積を縮小することが可能になる。
【００５５】
さらに、包装用箱７１の残存部分の蓋部３５に開口部Ｋに差込み可能な開口差込部７４を設けるので、容易に蓋部３５の閉状態を保持することができる。このため、取り残した菓子を十分に保護することができる。
そして、包装用箱７１の裏面板３の長方切込み部９を開口差込部７４の一部を露出可能とする引出口７３として構成することによって、開封者が引出口７３を利用して開口差込部７４を開口部Ｋから容易に引抜くことができる。このため、包装用箱７１の再開封を容易に行うことが可能になる。
【００５６】
ここで、引出口７３は、裏面板３の短手方向略中央に形成された切込み線８の長手方向中央部が長側面板５ａに向かって曲折することで形成される長方切込み部９であるから、切込み線８に面して形成されていることになる。つまり、引出口７３を切込み線８に面して形成することによって、切込み線８の一部を屈曲形成するだけで容易に引出口７３を形成することが可能になる。したがって、裏面板３に別途引出口７３を形成する必要がなく、包装用箱７１の製造コストの増大を抑制することができる。
【００５７】
なお、図１７に示すように、上述の第五参考例の長方切込み部９を図１５と比較して大きく形成、つまり、引出口７３を図１５と比較して大きく形成してもよい。このように、引出口７３を図１５と比較して大きく形成することによって、例えば、開封者の手の大きさが大きくても開封作業を容易に行うことができる。すなわち、引出口７３の大きさは、要望に応じて適宜変更してよい。
【００５８】
次に、この発明の実施形態を図１８に基づいて説明する。
ここで、この実施形態の包装用箱８１と前述の第五参考例の包装用箱７１との相違点は、第五参考例の包装用箱７１においては、裏面板３に引出口７３が長手方向中央部に１箇所形成されているのに対し、実施形態の包装用箱８１においては、裏面板３に引出口７３が長手方向両端側に２箇所形成されている点にある。
【００５９】
したがって、上述の実施形態によれば、前述した第五参考例と同様の効果を奏することができる。これに加え、例えば、開封者の利き腕（右利き、または左利き）の違いにより、押し開ける指が異なる場合であっても、２箇所に形成された引出口７３のうち、一方の引出口７３が手になじみ易い箇所に位置することになるので、利き腕の違いによる開封作業のし易さ（使い易さ）に差がでるのを防止できる。このため、開封者の取り扱い性をさらに向上させることができる。
【００６０】
なお、本発明は上述の実施形態に限られるものではなく、本発明の趣旨を逸脱しない範囲において、上述の実施形態に種々の変更を加えたものを含む。
また、上述の第一参考例、および第四参考例では、係止部３７が切込み線８の長方切込み部９に面するように設けられている場合について説明したが、これに限られるものではなく、裏面板３の長側面板５ａ寄り、つまり、長方切込み部９から離れた位置に係止部３７を設けてもよい。さらに、裏面板３に切込み線８（長方切込み部９）を形成することで係止部３７を設けずに、別途係止部３７を形成し、これを裏面板３に貼付する構成としてもよい。
【００６１】
さらに、上述の第一参考例、および第四参考例では、舌片部３６が長方切込み部９と切断線１０とによって区画されることで、略長方形状に形成されている場合について説明した。しかしながら、これに限られるものではなく、例えば、長方切込み部９の舌片部３６に面する一辺を弧状に形成し、舌片部３６を平面視略半円状に形成してもよい。
【００６２】
そして、上述の第二参考例、および第三参考例では、開封ポイントＰは、包装用箱４１，５１を開封するための最初の作業ポイントとしての機能と、包装用箱４１，５１から切取部３４を切り離した後の蓋部３５の閉状態を保持する機能との２つの機能を有している場合について説明した。しかしながら、これに限られるものではなく、開封ポイントＰとは別に係止部４５を形成し、これを裏面板３に貼付する構成としてもよい。
【００６３】
また、上述の第三参考例では、係止部４５が長手方向中央よりも短側面板４ｂ寄りに形成されている場合について説明したが、係止部４５が長手方向中央よりも短側面板４ａ寄りに形成されていてもよいことは言うまでもない。
【００６４】
さらに、上述の第五参考例、および実施形態では、裏面板３の引出口７３を切込み線８に面して形成する場合について説明した。しかしながら、これに限られるものではなく、引出口７３から蓋部３５の開口差込部７４の少なくとも一部が露出可能であれば、引出口７３を切込み線８から離れた位置に形成してもよい。
【図面の簡単な説明】
【００６５】
【図１】本発明の第一参考例における包装用箱の斜視図である。
【図２】本発明の第一参考例における包装用箱の斜視図である。
【図３】本発明の第一参考例における包装用箱の展開図である。
【図４】本発明の第一参考例における包装用箱の斜視図である。
【図５】本発明の第一参考例における包装用箱の斜視図であって、包装用箱から切取部を切り離した状態を示す。
【図６】本発明の第一参考例における印刷表示領域の表示例を示す説明図である。
【図７】本発明の第一参考例における印刷表示領域の表示例を示す説明図である。
【図８】本発明の第一参考例における印刷表示領域の表示例を示す説明図である。
【図９】本発明の第一参考例における縮小した包装用箱の斜視図である。
【図１０】本発明の第二参考例における包装用箱の展開図である。
【図１１】本発明の第二参考例における開封作業時の説明図である。
【図１２】本発明の第三参考例における包装用箱の展開図である。
【図１３】本発明の第三参考例における開封作業時の説明図である。
【図１４】本発明の第四参考例における包装用箱の展開図である。
【図１５】本発明の第五参考例における包装用箱の展開図である。
【図１６】本発明の第五参考例における開封作業時の説明図である。
【図１７】本発明の第五参考例における包装用箱の展開図である。
【図１８】本発明の実施形態における包装用箱の展開図である。
【符号の説明】
【００６６】
１，４１，５１，６１，７１，８１  包装用箱（箱体）
２  表面板
３  裏面板
４ａ，４ｂ  短側面板
５ａ，５ｂ  長側面板
６，７  折曲線
８，１１ａ，１２ａ，１３ａ，１４ａ，１７ａ，１８ａ，２５  切込み線
１０，４２  切断線
３４  切取部
３５  蓋部（折曲部）
３５ａ  閉塞部
３５ｂ  差込部
３６，４４  舌片部
３７，４５  係止部
７３  引出口
７４  開口差込部
Ｐ  開封ポイント
Ｒ  表示領域（印刷表示領域）
Ｋ  開口部
【図１】
0005604776.tif 000002
【図２】
0005604776.tif 000003
【図３】
0005604776.tif 000004
【図４】
0005604776.tif 000005
【図５】
0005604776.tif 000006
【図６】
0005604776.tif 000007
【図７】
0005604776.tif 000008
【図８】
0005604776.tif 000009
【図９】
0005604776.tif 000010
【図１０】
0005604776.tif 000011
【図１１】
0005604776.tif 000012
【図１２】
0005604776.tif 000013
【図１３】
0005604776.tif 000014
【図１４】
0005604776.tif 000015
【図１５】
0005604776.tif 000016
【図１６】
0005604776.tif 000017
【図１７】
0005604776.tif 000018
【図１８】
0005604776.tif 000019